(57)【要約】【課題】 所望のコンテンツへ面倒な操作を必要とせずに迅速に移動可能とする。【解決手段】 複数のコンテンツが登録されたサーバー２と、該サーバー２と通信回線７にて接続され、前記コンテンツの選択入力を行うことで、該選択されたコンテンツが前記通信回線７を介して配信される通信端末１０と、から成るコンテンツ提供システムにおいて、前記コンテンツは仮想空間における異なる位置座標にそれぞれ１対１に対応してマトリックス状に登録され、前記通信端末１０には前記仮想空間における現在位置からの移動方向が指示可能な入力部３６が設けられ、該移動指示に基づく新たな現在位置に対応するコンテンツが前記通信端末１０に配信されるようにする。【選択図】  図１
2006211688.tif 000002
【特許請求の範囲】
【請求項１】
複数のコンテンツが登録されたサーバーと、該サーバーと通信回線にて接続され、前記コンテンツの選択入力を行うことで、該選択されたコンテンツが前記通信回線を介して配信される通信端末と、から成るコンテンツ提供システムにおいて、前記コンテンツは仮想空間における異なる位置座標にそれぞれ１対１に対応してマトリックス状に登録され、前記通信端末には前記仮想空間における現在位置からの移動方向が指示可能な入力部が設けられ、該移動指示に基づく新たな現在位置に対応するコンテンツが前記通信端末に配信されることを特徴とするコンテンツ提供システム。
【請求項２】
前記入力部が、電話番号を入力可能なテンキーであって、該テンキー内の所定のキーを操作することにより、前記仮想空間における現在位置からの所定の移動方向が指示される請求項１に記載のコンテンツ提供システム。
【請求項３】
前記テンキーによる移動方向が、「６」キーが東方向、「４」キーが西方向、「８」キーが南方向、「２」キーが北方向とされている請求項２に記載のコンテンツ提供システム。
【請求項４】
前記移動指示に基づく現在位置が該コンテンツの所定方向側位置である場合にのみ、前記コンテンツの配信指示が可能とされている請求項１〜３のいずれかに記載のコンテンツ提供システム。
【請求項５】
前記コンテンツの配信指示が、前記テンキーにおける「５」キーの操作に基づき実施される請求項４に記載のコンテンツ提供システム。
【請求項６】
前記マトリックス状に配置された各コンテンツ同志が、前記移動方向の指示により移動可能な各通路により連結された町構成とされており、該各通路毎に個別の名称が付与されている請求項１〜５のいずれかに記載のコンテンツ提供システム。
【請求項７】
前記通信端末が携帯電話である請求項１〜６のいずれかに記載のコンテンツ提供システム。
【発明の詳細な説明】
【技術分野】
【０００１】
本発明は、通信回線を通じて利用者に各種コンテンツの提供を行うコンテンツ提供システムに関する。
【背景技術】
【０００２】
従来、これらコンテンツ提供システムにおいては、コンテンツが配信される通信端末に通信回線を介して接続されたサーバに、配信されるコンテンツを例えば大まかにジャンル別に分類し、これら各分類毎に細分化した項目（メニュー）を設けた、図８に示すようなツリー状に構成されていた。
【発明の開示】
【発明が解決しようとする課題】
【０００３】
しかしながら、これらツリー状に構成されたコンテンツにおいては、例えばコンテンツ１から移動してコンテンツ５を選択する場合には、必ずコンテンツ２を通過する必要があるとともに、これら提供するコンテンツの量が多くなった場合には、これらツリーの段数も多段となってしまうことから、所望するコンテンツへの移動に面倒な操作と時間がかかり、煩雑であって趣向性に欠けるばかりか、これら面倒な操作のためにサーバに接続する通信時間も多くなってしまい、通信コストが増大してしまうという問題があった。
【０００４】
よって、本発明は上記した問題点に着目してなされたもので、所望するコンテンツへ面倒な操作を必要とせずに迅速に移動することができ、よって通信コストの増大を抑えることのできるコンテンツ提供システムを提供することを目的としている。
【課題を解決するための手段】
【０００５】
上記課題は本発明の記録装置によれば、本発明のコンテンツ提供システムは、複数のコンテンツが登録されたサーバーと、該サーバーと通信回線にて接続され、前記コンテンツの選択入力を行うことで、該選択されたコンテンツが前記通信回線を介して配信される通信端末と、から成るコンテンツ提供システムにおいて、前記コンテンツは仮想空間における異なる位置座標にそれぞれ１対１に対応してマトリックス状に登録され、前記通信端末には前記仮想空間における現在位置からの移動方向が指示可能な入力部が設けられ、該移動指示に基づく新たな現在位置に対応するコンテンツが前記通信端末に配信されることを特徴としている。この特徴によれば、前記サーバーにおける各コンテンツが、仮想空間における異なる位置座標にそれぞれ１対１に対応してマトリックス状に登録されていることにより、利用者は前記入力部の操作により所望するコンテンツへの移動を面倒な操作を繰り返し実施することを必要とせずに迅速に移動することができ、よって通信コストの増大を抑えることもできる。
【０００６】
また、本発明のコンテンツ提供システムは、前記入力部が、電話番号を入力可能なテンキーであって、該テンキー内の所定のキーを操作することにより、前記仮想空間における現在位置からの所定の移動方向が指示されることが好ましい。このようにすれば、入力部として通信端末に共通して設けられている電話番号を入力可能なテンキーを用いることにより、通信端末の種別に依ることなく、コンテンツを提供することができる。
【０００７】
また、本発明のコンテンツ提供システムは、前記テンキーによる移動方向が、「６」キーが東方向、「４」キーが西方向、「８」キーが南方向、「２」キーが北方向とされていることが好ましい。このようにすれば、移動方向を感覚的に認識できるようになることから、移動方向の入力における操作性を向上させることができる。
【０００８】
また、本発明のコンテンツ提供システムは、前記移動指示に基づく現在位置が該コンテンツの所定方向側位置である場合にのみ、前記コンテンツの配信指示が可能とされていることが好ましい。このようにすれば、現在位置に対応して配信可能なコンテンツが１つのみとなることから、誤って所望以外のコンテンツを選択して配信されてしまうことを極力防止することができる。
【０００９】
また、本発明のコンテンツ提供システムは、前記コンテンツの配信指示が、前記テンキーにおける「５」キーの操作に基づき実施されることが好ましい。このようにすれば、通常においてテンキーの中央に位置する「５」キーを配信指示キーとすることで、これら配信指示の操作性を向上できる。
【００１０】
また、本発明のコンテンツ提供システムは、前記マトリックス状に配置された各コンテンツ同志が、前記移動方向の指示により移動可能な各通路により連結された町構成とされており、該各通路毎に個別の名称が付与されていることが好ましい。このようにすれば、例えばコンテンツの存在する位置等の案内を音声や画像にて実施する際に、前記各通路毎に個別に付与された名称を使用することにより、簡便かつ明確に案内等を実施することができる。
【００１１】
さらに、本発明のコンテンツ提供システムは、前記通信端末が携帯電話であることが好ましい。このようにすれば、利用者は移動中や外出時であっても、所望するコンテンツを入手することができる。
【発明の効果】
【００１２】
本発明は次の効果を奏する。
先ず、本発明によれば、前記サーバーにおける各コンテンツが、仮想空間における異なる位置座標にそれぞれ１対１に対応してマトリックス状に登録されていることにより、利用者は前記入力部の操作により所望するコンテンツへの移動を面倒な操作を繰り返し実施することを必要とせずに迅速に移動することができ、よって通信コストの増大を抑えることもできる。
【００１３】
また、本発明によれば、入力部として通信端末に共通して設けられている電話番号を入力可能なテンキーを用いることにより、通信端末の種別に依ることなく、コンテンツを提供することができる。
【００１４】
また、本発明によれば、移動方向を感覚的に認識できるようになることから、移動方向の入力における操作性を向上させることができる。
【００１５】
また、本発明によれば、現在位置に対応して配信可能なコンテンツが１つのみとなることから、誤って所望以外のコンテンツを選択して配信されてしまうことを極力防止することができる。
【００１６】
また、本発明によれば、通常においてテンキーの中央に位置する「５」キーを配信指示キーとすることで、これら配信指示の操作性を向上できる。
【００１７】
また、本発明によれば、例えばコンテンツの存在する位置等の案内を音声や画像にて実施する際に、前記各通路毎に個別に付与された名称を使用することにより、簡便かつ明確に案内等を実施することができる。
【００１８】
さらに、本発明によれば、利用者は移動中や外出時であっても、所望するコンテンツを入手することができる。
【発明を実施するための最良の形態】
【００１９】
以下、本発明の実施例を図面に基づいて説明する。
（実施例）
【００２０】
図１は本実施例のコンテンツ提供システムの構成を示すブロック図であり、図２は本実施例のコンテンツ提供システムを構成するサ−バ−の構成を示すブロック図であり、図３は本実施例において用いた基地局の構成を示すブロック図であり、図４は本実施例において用いたＰＨＳを示す外観斜視図であり、図５は本実施例において用いたＰＨＳの構成を示すブロック図であり、図６は本実施例の前記サ−バ−内におけるコンテンツの配置状況を示す図であり、図７は本実施例における各入力キーに対応する処理内容を示す図である。
【００２１】
先ず、本実施例のコンテンツ提供システムは、図１に示す構成とされており、コンテンツを各利用者の携帯電話であるパーソナルハンディホン（ＰＨＳ）１０や通常の電話機８に提供する配信センター１には、各種のコンテンツ情報、例えば音楽情報やニュース、株価情報等が登録されている複数のサーバー２が設けられており、これらサーバー２は、前記パーソナルハンディホン（ＰＨＳ）１０や電話機８が接続されている通信回線網７と接続されていて、これら電話機８やＰＨＳ１０を後述するように適宜操作して所望のコンテンツを選択することにより、該選択されたコンテンツ情報が、音声情報や文字情報として前記通信回線網７を介して利用者に提供される。
【００２２】
前記本実施例の配信センター１には、一度に多数および多種（アナログ回線またはデジタル回線）の通信回線からのアクセスを処理可能なように、複数のサーバー２が設けられており、これら各サーバー２は、各サーバーの稼働状況を管理するとともに、予め利用者毎に定められた会員番号と暗証番号とが登録されており、利用者により入力されたこれら会員番号と暗証番号とを比較、照合することによりアクセスした利用者の認証を実施する管理コンピュータ５にハブ４を介して接続されている。なお、図１中の３は、停電時におけるサーバー２の停止を防止するための無停電電源（ＵＰＳ）である。
【００２３】
前記本実施例において用いたサーバー２の構成は、図２に示すように、サーバー２内部にてデ−タの送受を行うデ−タバス２０に、該サーバー２の動作制御を所定の処理プログラムに基づき実施する中央演算処理装置（ＣＰＵ）２１、ＲＡＭ２４、アクセス時間等の時間情報を前記管理コンピュータ５に出力するための日時情報を出力可能なリアルタイムクロック（ＲＴＣ）２６と、該管理コンピュータ５とのデータ通信を可能とする通信インターフェイス２２と、磁気ディスクや光磁気ディスクから成り、仮想空間において位置する各座標に１対１に対応付けられた各種コンテンツ並びに各仮想空間上の座標において配信される音声ガイダンスとともに、前記中央演算処理装置（ＣＰＵ）２１が実施する制御内容が記述された制御プログラムとが記録された記憶装置２５と、前記通信回線網７に接続されて所定数の回線を同時に処理可能な複数の通信回線基板２３、とが接続されたコンピュ−タであり、前記通信回線基板２３は、該基板上に電話回線のオンフック／オフフック制御を実施するスピーチネットワーク回路や前記利用者の電話機８やＰＨＳ１０より送信されるテンキーの操作に基づくトーン信号を検出し、所定の数字データに変換するトーン信号変換回路や、前記記憶装置２５にデジタル記録されているガイダンス音声をアナログに変換して再生するＤ／Ａ変換回路等が設けられている。
【００２４】
また、前記記憶装置２５内に記憶された本実施例の各コンテンツは、図６に示すように、該サーバー２内の仮想空間（本実施例では２次元空間）である町構成とされた「アップルタウン」上のＡ１〜Ｅ６までの異なる座標位置（番地）に１対１に対応付けられてマトリックス状に登録配置されており、これら各コンテンツの間には、該配置されたコンテンツを囲むように利用者が移動可能な通路が設けられており、これら各通路には、図６に示すように、個別の名称が付与されている。尚、本実施例ではこれら通路の名称を説明上１番〜７番通りやＡ〜Ｆ通りとしているが、本発明はこれに限定されるものではなく、これらの名称は各通路で個別のものであれば良く、例えば各通りに配置されるコンテンツの内容に沿った名称等のように適宜に任意の名称を付与することができる。
【００２５】
また、本実施例では、これら仮想空間である「アップルタウン」への入り口として、利用者のアクセス時に前記管理コンピュータ５にて実施される認証に対応する場所として「入国管理局」を設けている。
【００２６】
また、利用者が所持する前記ＰＨＳ１０は、図１に示すように所定のエリア毎に設けられた基地局９並びに、これら各基地局を管理する中央制御局６とを介して前記通信回線網７と接続されており、この基地局９構成は、図３に示すように、その内部には、中央制御局６とデジタル通信を実施する通信部１７と、前記通信部１７において送受信される音声を含む各種データおよび前記ＰＨＳ端末１０より伝送されたデータとを一時記憶するためのメモリ１１と、前記ＰＨＳ端末１０と電波の送受信をアンテナ１６を介して行う送信部１３および受信部１４およびアンテナスイッチ１５を有する送受信ＲＦモジュール１２と、この送受信ＲＦモジュール１２において送受信される電波（ＰＨＳでは１.９ＧＨｚ帯域）の変復調を実施するπ／４シフトＱＰＳＫ変復調モデム１９と、これら各部の制御やＰＨＳ端末１０との送受信における制御等を実施するとともに、ＰＨＳ端末１０との通信を実施するチャンネルの選択等の決定等を実施するコントローラ１８と、が設けられており、前記のようにデジタル化された音声データが乗調された所定周波数の電波を送受信することにより、利用者が移動中や外出中であっても、該基地局９の通話エリア内であれば通話が可能とされている。また、前記中央制御局６は通話先がアナログ回線である場合に、音声のデジタル化並びにアナログ化を実施して基地局９と通信回線網７との橋渡しをするとともに、ＰＨＳ１０が複数の基地局９を移動する際に、該ＰＨＳ１０接続する基地局９を適宜切り替える制御を実施するようになっている。
【００２７】
これら、基地局９との前記所定電波にて通信を行うＰＨＳ端末１０は、図４に示すように、一般的に使用されている通常のＰＨＳ端末１０であり、その構成は、図５に示すように、アンテナ２７を介して前記基地局９と電波のやり取りを実施するための受信部４１および送信部４２およびアンテナスイッチ４３を備えた送受信ＲＦモジュール４０と、この送受信ＲＦモジュール４０により受信された電波の復調および、前記送受信ＲＦモジュール４０により送信される電波の変調とを実施するπ／４シフトＱＰＳＫ変復調モデム４４と、前記基地９より送信された遊技情報データ等を記憶するＳＲＡＭ４７と、このＳＲＡＭ４７に記憶されている各種のコンテンツデータや、ＰＨＳ端末１０の各種情報を表示するＬＣＤパネル３３とＬＣＤドライバ３４から成るＬＣＤモジュ−ル３２と、マイク３１より入力される音声を適応差分量子化（ＡＤＰＣＭ）方式にてデジタル化するとともに、前記π／４シフトＱＰＳＫ変復調モデム４４より出力されるＡＤＰＣＭデ−タを音声信号に変換するＡＤＰＣＭコ−デック３０と、このＡＤＰＣＭコ−デック３０に接続されたアンプ２９およびマイクロスピ−カ２８と、着信音や各種操作時における告知音を出力するサウンダやＬＥＤ、バイブレ−タを駆動するドライバ３５と、ＰＨＳ端末１０の前面に設けられ、電話番号入力が可能なテンキ−３６等の各種スイッチ郡から成る入力部３８と、外部機器とのシリアルデ−タ通信を行うための接続端子部３９と、これら各種のデバイスを制御するＭＰＵ４５と、から構成され、前記ＭＰＵ４５内部には、ＭＰＵ４５が行う制御動作を記述したプログラムおよび個々のＰＨＳ端末１０７に付与されている電話番号デ−タや識別ＩＤ等が記憶された内部ＲＯＭ４６を有している。
【００２８】
これらＰＨＳ端末１０や前記電話機８から利用者が実施する入力操作に基づく前記サーバー２における処理内容は、本実施例では図７に示すように予めサーバー２に登録されており、利用者が前記ＰＨＳ端末１０のテンキー３６や電話機８のテンキーを操作することにより、該操作キーに対応する所定のトーン信号がＰＨＳ端末１０または電話機８より送信され、該トーン信号が前記サーバー２内部の通信回線基板２３に設けられたトーン信号変換回路により入力キーに対応する数字に変換されて前記中央演算処理装置（ＣＰＵ）２１に出力され、該中央演算処理装置（ＣＰＵ）２１により出力されてきた入力キーの数字に該当する処理が、図７に示すように各々実施される。
【００２９】
これら各キーに対応する処理内容として、本実施例では、前記仮想空間である「アップルタウン」内の移動方向を、各方角に対応されたテンキーにより指示可能とされており、北（図６の上方）へ移動する場合には「２」キーを、南へ移動する場合には「８」キーを、東へ移動する場合には「６」キーを、西へ移動する場合には「４」キーを、それぞれ操作することで該当する方角に移動することができるようになっている。
【００３０】
このように、テンキーを構成する所定のキーに所定の方角を適宜対応させて移動方向の入力を行うようにすることは、これらテンキーは通信端末である前記電話機８やＰＨＳ端末１０等の全てに相手先の電話番号を入力する目的で必ず具備されていることから、利用者は使用する通信端末を限定されることなく、いずれの通信端末、例えば公衆電話からでも利用することができることから好ましいが、本発明はこれに限定されるものではなく、例えば近年の携帯電話のように、多機能化されたメニュー内容を簡便に選択できるように、十字キーや上下キー等の個別の入力キーを有するものがあるが、これら個別に設けられた入力キーを用いて移動方向の指示を可能とするようにしても良い。
【００３１】
また、前記のように「５」を中心とした「２」キー、「４」キー、「６」キー、「８」キーにそれぞれ北、西、東、南を対応させることは、これら方向を感覚的に認識できるようになり、移動方向の入力をより判りやすいものとできることから好ましいが、本発明はこれに限定されるものではなく、これら各方角に対応するキーは適宜設定すれば良い。
【００３２】
また、本実施例では、前記利用者の会員番号に対応付けて他の利用者からのメッセージを登録可能なコンテンツを提供しており、これらメッセージを再生または消去するための処理内容が前記移動方向指示に対応するキー以外のキーに割り当てられているが、本発明はこれに限定されるものではない。
【００３３】
以下、本実施例のコンテンツ提供システムにおけるコンテンツの提供状況を図６に基づき説明する。
【００３４】
先ず、利用者は、自分が携帯する前記ＰＨＳ端末１０のテンキーを操作して前記配信センターに電話をかける。
【００３５】
該電話の発呼は、前記通信回線基板２３のスピーチネットワーク回路にて検出され自動着呼処理され、該着呼後に会員番号並びに暗証番号を入力を要求するガイダンスが前記記憶装置２５より読み出さて再生され、利用者に送信される。
【００３６】
利用者は、該ガイダンスの聴取に基づき自分の会員番号並びに暗証番号を入力する。該入力された会員番号並びに暗証番号は、前記通信回線基板２３のトーン信号変換回路にて所定の数字列データに変換され、該データが前記通信インターフェイス２２を通じて管理コンピュータ５に出力される。該管理コンピュータ５においては、これら各データが予め登録されている会員番号並びに暗証番号と一致するかの照合が実施され、その照合結果が前記通信インターフェイス２２を通じて前記中央演算処理装置（ＣＰＵ）２１に出力され、該照合結果が「否」の場合には回線の切断処理が実施され、該照合結果が「可」の場合には、前記入国管理局からの「アップルタウン」への立入が許可され、まず図６の状況（１）に示すガイダンスが前記記憶装置２５より読み出さて再生され、利用者に送信される。
【００３７】
利用者は、該ガイダンスの聴取に基づき自分の行きたい方向、例えば北へ行きたい場合は「２」キーを入力する。
【００３８】
すると該「２」キーの入力に基づくトーン信号が前記トーン信号変換回路にて変換されて前記中央演算処理装置（ＣＰＵ）２１に出力されることで、中央演算処理装置（ＣＰＵ）２１は利用者の現在位置から北方向に隣接する所定位置である図６の（２）の位置へ現在位置の移動処理を行い、図６（ｂ）の状況（２）に示すガイダンスを前記記憶装置２５より読み出し、前記通信回線基板２３を介して利用者に送信される。この際、図６には示していないが、現在位置近傍に配置されている各コンテンツの案内情報が、適宜記憶装置２５より読み出されて利用者に送信される。
【００３９】
利用者は、これら案内情報等に基づき移動したい方向を逐次決定し、その方向に対応するキーを入力することで状況（３）〜（６）のように、各通り上を東西南北に自由に移動することができる。
【００４０】
このように、各コンテンツの間を通路にて繋ぎ、本実施例のように各通路に個別の名称を付与することは、これら仮想空間の案内情報や現在位置を音声等にて利用者に提供する際に、効率良くかつ明確に提供できるようになることから好ましいが、本発明はこれに限定されるものではない。更には本実施例では全ての通路に名称を付与しているが、本発明はこれに限定されるものではなく、これら名称の付与を一部の代表的な通路のみに実施するようにしても良い。
【００４１】
これら移動によって利用者が入手したいコンテンツが存在した場合には、利用者は図６の（７）の状況に示すように、配置されたコンテンツの所定方向位置である南側中央位置に移動し、該位置においてコンテンツ入手指示である「５」キーを操作する。
【００４２】
このように、コンテンツ（建物）への侵入（コンテンツの配信指示）が、配置されたコンテンツの所定方向位置のみにおいて可能とすることは、同時に複数のコンテンツを配信可能とすると、その選択を利用者が誤ってしまう場合があるとともに、各コンテンツの配置位置を利用者が認識しずらくなってしまうことから、これらの混乱を回避できるようになるとともに、サーバー２におけるこれらコンテンツを提供する制御も行う易くなることから好ましいが、本発明はこれに限定されるものではない。
【００４３】
これら前記「５」キー操作に基づき、前記中央演算処理装置（ＣＰＵ）２１は、該仮想空間における利用者の現在位置に対応する位置座標に対応付けられて前記記憶装置２５に登録されているコンテンツを読み出し、利用者に送信、提供する。
【００４４】
以上、本実施例のようにすれば、利用者はテンキーを操作することによりコンテンツがマトリックス状に配置された仮想空間内を所望の方向に任意に移動して所望のコンテンツを入手できるようになることから、これらコンテンツを入手するための移動を面倒な操作を繰り返し実施することを必要とせずに迅速に行うことができ、よって前記サーバー２への接続における通信コストの増大を抑えることもできる。
【００４５】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００４６】
また、前記実施例では、携帯電話として電波出力の比較的小さな簡易携帯電話であるＰＨＳ端末１０を用いているが、本発明はこれに限定されるものではなく、電波出力の比較的大きな通常の携帯電話においても本発明を適用可能なことは言うまでもない。
【００４７】
また、前記実施例では、利用者に提供するコンテンツを主に音声にて提供する例を示したが、本発明はこれに限定されるものではなく、これらコンテンツを文字データ等にて配信し、通信端末の表示装置上に表示させるようにしても良く、更には、前記案内ガイダンスについても、仮想空間内における現在位置周辺の状況を画像にて配信し、前記通信端末の表示装置上に表示させるようにしても良い。
【図面の簡単な説明】
【００４８】
【図１】本発明の実施例におけるコンテンツ提供システムの構成を示すブロック図である。
【図２】本発明の実施例におけるコンテンツ提供システムを構成するサ−バ−の構成を示すブロック図である。
【図３】本発明の実施例において用いた基地局の構成を示すブロック図である。
【図４】本発明の実施例において用いたＰＨＳを示す外観斜視図である。
【図５】本発明の実施例において用いたＰＨＳの構成を示すブロック図である。
【図６】本発明の実施例のサ−バ−内におけるコンテンツの配置状況を示す図である。
【図７】本発明の実施例における各入力キーに対応する処理内容を示す図である。
【図８】従来のコンテンツ提供システムを構成するサ−バ−におけるコンテンツの配置状況を示す図である。
【符号の説明】
【００４９】
１・・・ 配信センター
２ ・・・サーバー
３ ・・・無停電電源（ＵＰＳ）
４ ・・・ハブ
５ ・・・管理コンピュータ
６ ・・・中央制御局
７ ・・・通信回線網
８ ・・・電話機
９ ・・・基地局
１０ ・・パーソナルハンディホン（ＰＨＳ）
１１ ・・メモリ
１２ ・・送受信ＲＦモジュール
１３ ・・送信部
１４ ・・受信部
１５ ・・アンテナスイッチ
１６ ・・アンテナ
１７ ・・通信部
１８ ・・コントローラ
１９ ・・π／４シフトＱＰＳＫ変復調モデム
２０ ・・データバス
２１ ・・中央演算処理装置（ＣＰＵ）
２２ ・・通信インターフェイス
２３ ・・通信回線基板
２４ ・・ＲＡＭ
２５ ・・記憶装置
２６ ・・リアルタイムクロック（ＲＴＣ）
２７ ・・アンテナ
２８ ・・マイクロスピーカ
２９ ・・アンプ
３０ ・・ＡＤＰＣＭコーデック
３１ ・・マイク
３２ ・・ＬＣＤモジュール
３３ ・・ＬＣＤパネル
３４ ・・ＬＣＤドライバ
３５ ・・ドライバ
３６ ・・テンキー
３８ ・・入力部
３９ ・・接続端子
４０ ・・送受信ＲＦモジュール
４１ ・・送信部
４２ ・・受信部
４３ ・・アンテナスイッチ
４４ ・・π／４シフトＱＰＳＫ変復調モデム
４５ ・・ＭＰＵ
４６ ・・内部ＲＯＭ
４７ ・・ＳＲＡＭ
【図１】
2006211688.tif 000003
【図２】
2006211688.tif 000004
【図３】
2006211688.tif 000005
【図４】
2006211688.tif 000006
【図５】
2006211688.tif 000007
【図６】
2006211688.tif 000008
【図７】
2006211688.tif 000009
【図８】
2006211688.tif 000010